(57)【要約】【課題】画像データをＰＣを経由せずにダイレクトに画像印刷装置に転送し、印刷すること。【解決手段】画像種類を判定し、予め指定されたレイアウト方法に従い画像印字位置を決定し、予め指定された罫線や文字などを用いた帳票形式に従い画像を修飾し、圧縮を展開した画像データを印刷処理装置に適した色処理を行い、色処理後の画像データを印刷処理装置の解像度に従い変倍し、変倍後の画像データを印刷処理装置の１画素の表現可能ビット数に適した階調表現方法によって変換し、ページメモリ等に描画し、用紙に印刷する。【選択図】図１
2008079134.tif 000002
【特許請求の範囲】
【請求項１】
画像データを直接装置に転送して印刷する画像処理装置において、
画像種類を判定する手段と、
画像データの圧縮を展開する手段と、
印刷処理装置において任意にあらかじめ指定されたレイアウト方法に従って画像印字位置を決定するレイアウト決定手段と、
あらかじめ指定された罫線や文字などを用いた帳票形式に従って画像を修飾する帳票手段と、
前記圧縮を展開した画像データを印刷処理装置に適した色処理を行う手段と、
前記色処理後の画像データを印刷処理装置の解像度に従って変倍する手段と、
前記変倍後の画像データを印刷処理装置の１画素の表現可能ビット数に適した階調表現方法によって変換し、ページメモリまたはバンドメモリに描画する手段と、
前記ページメモリまたはバンドメモリを用紙に印刷する手段と
を有することを特徴とする画像処理装置。
【請求項２】
請求項１記載の画像処理装置において、画像データをＰＣ等を経由せずに直接前記印刷処理装置に転送経路にて転送する、もしくは、前記印刷処理装置に装備されているメモリカードデバイス経由にて転送することで印刷が可能となることを特徴とする画像処理装置。
【請求項３】
請求項１または２記載の画像処理装置において、前記画像種類を判定する手段は、前記印刷処理装置に直接転送された画像データがどのような画像フォーマットであるかを判定する手段であり、各種画像フォーマットがその印刷処理装置で判定可能であれば印刷処理を行うことを特徴とする画像処理装置。
【請求項４】
請求項３記載の画像処理装置において、前記画像データの圧縮を展開する手段は、判定された画像データの圧縮を展開し、ＲＧＢ等の非圧縮画像データに変換することを特徴とする画像処理装置。
【請求項５】
請求項１から４のいずれか１項に記載の画像処理装置において、前記レイアウト決定手段は、画像処理装置内の不揮発性メモリに設定されたレイアウト情報、もしくは、印刷前にユーザが画像処理装置におけるなんらかの操作によって指定したレイアウト情報を元に、用紙内の画像の印刷位置と大きさを決定することを特徴とする画像処理装置。
【請求項６】
請求項１から５のいずれか１項に記載の画像処理装置において、前記帳票手段は、主に文字や罫線を用いて定型文書フォーマットとして用いる帳票形式に単数、もしくは複数画像を埋め込んだ帳票レイアウトを決定することを特徴とする画像処理装置。
【請求項７】
請求項５記載の画像処理装置において、前記レイアウト決定手段は、用紙１ページに対して１つの画像データを印刷し、また、用紙１ページに対して複数の画像データを印刷することを特徴とする画像処理装置。
【請求項８】
請求項１から７のいずれか１項に記載の画像処理装置において、処理ソフトウェアをレーザプリンタのプリンタコントローラに備えて構成されたことを特徴とする画像処理装置。
【請求項９】
請求項１から７のいずれか１項に記載の画像処理装置において、処理ソフトウェアをインクジェットプリンタのプリンタコントローラに備えて構成されたことを特徴とする画像処理装置。
【請求項１０】
請求項１から７のいずれか１項に記載の画像処理装置において、処理ソフトウェアをグラフィックアクセラレータ等の専用ＡＳＩＣに備えて構成されたことを特徴とする画像処理装置。
【発明の詳細な説明】
【技術分野】
【０００１】
本発明は、ページプリンタのプリンタ言語処理技術に関する。
【背景技術】
【０００２】
ＰＣを経由せずに画像データを直接印刷処理装置で印刷するニーズがある。
【０００３】
従来であれば、まず画像データをＰＣに取り込み、ＰＣで画像用のアプリケーションを起動し、そのアプリケーションの印刷機能を用いて印刷を行っていた。
【発明の開示】
【発明が解決しようとする課題】
【０００４】
しかしながら、従来技術では、画像用アプリケーションを用いて、画像を編集するのであればその方法でもよいのだが、編集せずにそのまま印刷する場合には、ＰＣを経由するのは手間がかかるだけで無駄である。
【０００５】
そこで、本発明では、上記問題を解決するために、画像データをＰＣを経由せずにダイレクトに印刷処理装置に転送し、印刷することを目的とする。
【課題を解決するための手段】
【０００６】
請求項１記載の発明は、画像データを直接装置に転送して印刷する画像処理装置において、画像種類を判定する手段と、画像データの圧縮を展開する手段と、印刷処理装置において任意にあらかじめ指定されたレイアウト方法に従って画像印字位置を決定するレイアウト決定手段と、あらかじめ指定された罫線や文字などを用いた帳票形式に従って画像を修飾する帳票手段と、圧縮を展開した画像データを印刷処理装置に適した色処理を行う手段と、色処理後の画像データを印刷処理装置の解像度に従って変倍する手段と、変倍後の画像データを印刷処理装置の１画素の表現可能ビット数に適した階調表現方法によって変換し、ページメモリまたはバンドメモリに描画する手段と、ページメモリまたはバンドメモリを用紙に印刷する手段とを有することを特徴とする画像処理装置である。
【０００７】
請求項２記載の発明は、請求項１記載の画像処理装置において、画像データをＰＣ等を経由せずに直接印刷処理装置に転送経路にて転送する、もしくは、印刷処理装置に装備されているメモリカードデバイス経由にて転送することで印刷が可能となることを特徴とする。
【０００８】
請求項３記載の発明は、請求項１または２記載の画像処理装置において、画像種類を判定する手段は、印刷処理装置に直接転送された画像データがどのような画像フォーマットであるかを判定する手段であり、各種画像フォーマットがその印刷処理装置で判定可能であれば印刷処理を行うことを特徴とする。
【０００９】
請求項４記載の発明は、請求項３記載の画像処理装置において、画像データの圧縮を展開する手段は、判定された画像データの圧縮を展開し、ＲＧＢ等の非圧縮画像データに変換することを特徴とする。
【００１０】
請求項５記載の発明は、請求項１から４のいずれか１項に記載の画像処理装置において、レイアウト決定手段は、画像処理装置内の不揮発性メモリに設定されたレイアウト情報、もしくは、印刷前にユーザが画像処理装置におけるなんらかの操作によって指定したレイアウト情報を元に、用紙内の画像の印刷位置と大きさを決定することを特徴とする。
【００１１】
請求項６記載の発明は、請求項１から５のいずれか１項に記載の画像処理装置において、帳票手段は、主に文字や罫線を用いて定型文書フォーマットとして用いる帳票形式に単数、もしくは複数画像を埋め込んだ帳票レイアウトを決定することを特徴とする。
【００１２】
請求項７記載の発明は、請求項５記載の画像処理装置において、レイアウト決定手段は、用紙１ページに対して１つの画像データを印刷し、また、用紙１ページに対して複数の画像データを印刷することを特徴とする。
【００１３】
請求項８記載の発明は、請求項１から７のいずれか１項に記載の画像処理装置において、処理ソフトウェアをレーザプリンタのプリンタコントローラに備えて構成されたことを特徴とする。
【００１４】
請求項９記載の発明は、請求項１から７のいずれか１項に記載の画像処理装置において、処理ソフトウェアをインクジェットプリンタのプリンタコントローラに備えて構成されたことを特徴とする。
【００１５】
請求項１０記載の発明は、請求項１から７のいずれか１項に記載の画像処理装置において、処理ソフトウェアをグラフィックアクセラレータ等の専用ＡＳＩＣに備えて構成されたことを特徴とする。
【発明の効果】
【００１６】
本発明によれば、画像データをＰＣを経由せずにダイレクトに印刷処理装置に転送し、印刷することができる。
【発明を実施するための最良の形態】
【００１７】
次に、本発明の第１の実施の形態の構成について図面を参照して説明する。
【００１８】
図１は本実施の形態における画像処理装置の構成図である。画像データは画像種類判定部１に入力され、この画像の圧縮形式の種類（ＪＰＥＧ，ＴＩＦＦ，ＧＩＦ，ＰＮＧ等）が判定される。
【００１９】
判定が成功し、かつ、本画像処理装置にて処理可能であれば、画像データ展開部２に入力され、画像データの圧縮がデコードされ、レイアウト決定部３に入力される。
【００２０】
レイアウト決定部３は、画像処理装置内の不揮発性メモリに設定されたレイアウト情報、もしくは、印刷前にユーザが画像処理装置におけるなんらかの操作によって指定したレイアウト情報を元に、用紙内の画像の印刷位置と大きさを決定する。
【００２１】
その結果、１ページに１画像のレイアウトであれば、１画像レイアウト部４に、１ページに複数画像のレイアウトであれば、複数画像レイアウト部５に、入力される。
【００２２】
１画像レイアウト部４、複数画像レイアウト部５では、画像の位置（画像の左上隅の座標）、画像の大きさ（画像の幅高さ）を決定する。例えば、図３のような、縦×横が２×２のようなレイアウトである。
【００２３】
画像の位置と大きさが決定されると、色処理・変倍処理・デバイスビット変換処理部６にて、色処理（カラーマッチング処理、ＲＧＢからＣＭＹＫ変換のためのＢＧ／ＵＣＲ処理、γ処理など）、変倍処理（ソース画像に対してレイアウト部にて指定されたページメモリへの領域への変倍）、デバイスビット変換処理部（ディザリング、誤差拡散等）を行い、ページメモリ（またはバンドメモリ）を生成する。そのページメモリは画像印刷部７に入力され、印刷機器により用紙に印刷される。
【００２４】
上記の本実施の形態によれば、直接画像を印刷することが可能となり、ユーザの印刷の手間が減る。
【００２５】
次に、本発明の第２の実施の形態について説明する。
【００２６】
図２は本実施の形態における画像処理装置の構成図である。画像データは画像種類判定部１に入力され、この画像の圧縮形式の種類（ＪＰＥＧ，ＴＩＦＦ，ＧＩＦ，ＰＮＧ等）が判定される。
【００２７】
判定が成功し、かつ、本画像処理装置にて処理可能であれば、画像データ展開部２に入力され、画像データの圧縮がデコードされ、レイアウト決定部３に入力される。レイアウト決定部３は、画像処理装置内の不揮発性メモリに設定されたレイアウト情報、もしくは、印刷前にユーザが画像処理装置におけるなんらかの操作によって指定したレイアウト情報を元に、用紙内の画像の印刷位置と大きさを決定する。
【００２８】
その結果、１ページに１画像のレイアウトであれば、１画像レイアウト部４に、１ページに複数画像のレイアウトであれば、複数画像レイアウト部５に、さらに帳票が指定されている場合は帳票レイアウト部８に、入力される。
【００２９】
１画像レイアウト部４、複数画像レイアウト部５では、画像の位置（画像の左上隅の座標）、画像の大きさ（画像の幅高さ）を決定する。
【００３０】
帳票レイアウト部８では、主に文字や罫線を用いて定型文書フォーマットとして用いる帳票形式に単数、もしくは複数画像を埋め込んだ帳票レイアウトが決定される。例えば、図４のような、画像の右に複数の罫線を配置したレイアウトである。
【００３１】
画像の位置や大きさ、もしくは帳票に用いる文字や罫線の位置や大きさ、が決定されると、色処理・変倍処理・デバイスビット変換処理部６にて、色処理（カラーマッチング処理、ＲＧＢからＣＭＹＫ変換のためのＢＧ／ＵＣＲ処理、γ処理など）、変倍処理（ソース画像に対してレイアウト部にて指定されたページメモリへの領域への変倍）、デバイスビット変換処理部（ディザリング、誤差拡散等）を行い、ページメモリ（またはバンドメモリ）を生成する。そのページメモリは画像印刷部７に入力され、印刷機器により用紙に印刷される。
【００３２】
なお、上述する各実施の形態は、本発明の好適な実施の形態であり、本発明の要旨を逸脱しない範囲内において種々変更実施が可能である。
【図面の簡単な説明】
【００３３】
【図１】本発明の第１の実施形態の画像処理装置の構成図である。
【図２】本発明の第１の実施形態のレイアウトの一例を示す図である。
【図３】本発明の第２の実施形態の画像処理装置の構成図である。
【図４】本発明の第２の実施形態のレイアウトの一例を示す図である。
【符号の説明】
【００３４】
１    画像種類判定部
２    画像データ展開部
３    レイアウト決定部
４    １画像レイアウト部
５    複数画像レイアウト部
６    色処理・変倍処理・デバイスビット変換処理部
７    画像印刷部
【図１】
2008079134.tif 000003
【図２】
2008079134.tif 000004
【図３】
2008079134.tif 000005
【図４】
2008079134.tif 000006